(57)【特許請求の範囲】
【請求項１】
測定装置であって、
流れ媒体（Ｍ）における湿度を検出するための湿度センサ（１）を備え、
流れ媒体（Ｍ）の温度を検出するための温度センサ（２）を備え、
湿度センサ（１）および温度センサ（２）が共通の担体（３）上に配置されており、
担体（３）が流れ誘導要素（４）を備え、
前記誘導要素（４）は、前記センサ（１，２）の方向に前記センサ（１，２）に向かって流れを集中させるのに適している、測定装置。
【請求項２】
流れ誘導要素（４）は、湿度センサ（１）および温度センサ（２）の組のうち少なくとも１つのセンサの方向に流れ媒体（Ｍ）を向けるのに適している、請求項１に記載の測定装置。
【請求項３】
流れ誘導要素（４）は流れ媒体（Ｍ）を混合するのに適している、請求項１または２に記載の測定装置。
【請求項４】
担体（３）は、入口開口部（７１）を有するチャネル（７）を備え、前記入口開口部（７１）を通って流れ媒体（Ｍ）が前記チャネル（７）に流れ込む、請求項１から３のいずれかに記載の測定装置。
【請求項５】
チャネル（７）が狭窄領域（７３）を備え、前記狭窄領域（７３）の断面は入口開口部（７１）の断面よりも小さく、
湿度センサ（１）および温度センサ（２）の組のうち少なくとも１つのセンサが、狭窄領域（７３）に配置される、請求項４に記載の測定装置。
【請求項６】
チャネル（７）は非狭窄領域（７４）を備え、前記非狭窄領域（７４）の断面は入口開口部（７１）の断面と等しく、
湿度センサ（１）および温度センサ（２）の組のうち少なくとも１つのセンサが、非狭窄領域（７４）に配置される、請求項４または５に記載の測定装置。
【請求項７】
チャネル（７）は漏斗の形状であり、漏斗首部（７５）を備える、請求項４から６のいずれかに記載の測定装置。
【請求項８】
湿度センサ（１）が入口開口部（７１）の領域に配置され、温度センサ（２）が漏斗首部（７５）の領域に配置される、請求項７に記載の測定装置。
【請求項９】
温度センサ（２）が入口開口部（７１）の領域に配置され、湿度センサ（１）が漏斗首部（７５）の領域に配置される、請求項７に記載の測定装置。
【請求項１０】
熱伝導性材料を含み、温度センサ（２）に熱的に接続される要素（８）を備える、請求項１から９のいずれかに記載の測定装置。
【請求項１１】
要素（８）は格子であり、前記格子を通って流れ媒体（Ｍ）が流れる、請求項１０に記載の測定装置。
【請求項１２】
流れ媒体（Ｍ）が湿度センサ（１）および温度センサ（２）の組のうち少なくとも１つのセンサに直接流れ込むのを防ぐシールド要素（５）を備える、請求項１から１１のいずれかに記載の測定装置。
【請求項１３】
内部の湿度およびそこを流れる空気の温度を測定するのに用いられる、請求項１から１２のいずれかに記載の測定装置。
【発明の詳細な説明】
【技術分野】
【０００１】
流れ媒体の湿度を測定するための測定装置を規定する。
【背景技術】
【０００２】
文献ＤＥ  １０２００６０２１５２８  Ｂ３は、空気流の温度を測定するためのセンサを開示している。
【発明の概要】
【発明が解決しようとする課題】
【０００３】
達成すべき一目的は、流れ媒体の湿度を可能な限り簡潔に決定することである。
【課題を解決するための手段】
【０００４】
流れ媒体中の湿度を検出するための湿度センサを備えた測定装置を規定する。湿度センサは担体上に配置される。また、媒体の温度を検出することのできる温度センサが、好ましくは担体上に位置している。
【０００５】
担体は、好ましくは、上述の１つまたは両方のセンサの方向に流れ媒体を向けるのに適した流れ誘導要素を備える。
【０００６】
たとえば、担体は、流れ媒体のための入口開口部および出口開口部を備えたチャネルを有する。流れ誘導要素は、たとえば、偏向面の形状または溝状の窪みの形状で、チャネル内部に位置してもよい。
【０００７】
好ましい一実施例においては、流れ誘導要素は、湿度センサが媒体中の平均湿度を検出することができるように設計および配置されている。
【０００８】
流れ誘導要素は、たとえば、センサの方向に流れ媒体を集中させる。
これは、さまざまな部分的な流れ、特に流れ媒体のうち流れの端を流れる部分、が組合わされて、センサの方向に導かれることを意味する。
【０００９】
たとえば、流れ媒体は、媒体の流れる方向に沿ったチャネルの断面のうち先細の部分によって集中させることができる。この場合、媒体は入口開口部を通ってチャネルに流れ込み、流れ誘導要素によって狭窄領域へと導かれる。この狭窄領域の断面は、入口開口部の断面よりも小さくなっている。これにより、結果として、媒体の部分的な流れが組合わされることとなる。一実施例においては、媒体はチャネルの狭窄部によって圧縮され、圧縮された状態で湿度センサに当たる。媒体が圧縮されていない状態である場合の平均湿度は、圧縮された状態の媒体中で測定された湿度から得ることができる。
【００１０】
チャネルは、漏斗の形状であってもよい。たとえば、湿度センサは、流れ媒体が集中した状態で存在している漏斗首部の領域に位置している。
【００１１】
媒体を集中させる代わりに、またはそれに加えて、流れ誘導要素は、そこを流れ過ぎる大量の媒体を混合し得る。この場合、媒体は好ましくは圧縮されない。
【００１２】
別の実施例においては、流れ誘導要素および湿度センサは、媒体が集中も混合もされずに湿度センサの方向に向けられるような態様で配置される。次いで、湿度センサは、媒体中の湿度を限定的に決定することができる。この場合、「限定的に（punktuell）」という語は、集中させられていない媒体の湿度が或る時点で検出されることを意味している。
【００１３】
この目的のために、湿度センサは、測定装置のうち、流れ媒体が集中も混合もされない状態で存在している領域に配置される。たとえば、湿度センサは、断面が入口開口部の断面と等しくなっているチャネルの非狭窄領域に配置される。また、湿度センサが、チャネルの入口に、直接、配置されてもよい。
【００１４】
湿度センサと同様に、温度センサは、媒体の平均温度または限定的温度を検出することができるような態様で配置されてもよい。
【００１５】
一実施例においては、温度センサおよび湿度センサは共通のセンサ要素に一体化される。
【００１６】
この配置では、媒体の湿度および媒体の温度は、同じ箇所で単純な態様で検出することができる。
【００１７】
代替的な実施例においては、温度センサおよび湿度センサは、別個の構成要素として形成される。これらの構成要素は担体のさまざまな箇所に配置されてもよい。
【００１８】
この実施例では、湿度センサは、たとえば、媒体の平均湿度を決定することができるのに対して、温度センサは、媒体の限定的な温度を検出する。この目的のために、湿度センサは、担体のうち、集中または混合された大量の媒体が流れている領域に配置される。温度センサは、担体のうち、そこを流れ過ぎる媒体が集中も混合もされていない領域に配置されてもよい。たとえば、温度センサはチャネルの入口に配置され、湿度センサは、入口開口部よりも断面が小さいチャネルの狭窄領域に配置される。
【００１９】
代替的な実施例においては、湿度センサおよび温度センサは、媒体中の湿度が限定的に検出されるように、かつ、媒体の温度が量に対して平均化された態様で検出されるように、配置される。
【００２０】
装置はまた、熱伝導性材料を含む要素を備えてもよい。これらの要素は、流れ媒体が少なくとも部分的に当該要素のまわりにまたは当該要素を通って流れるような態様で、測定装置に配置される。この場合、材料の熱伝導性は、平均温度が少なくとも当該要素の部分的な領域において短期間のうちに達成されるほどに高いものでなければならず、その温度は流れ媒体の平均温度に相当するか、または、そこから媒体の平均温度を単純な態様で得ることもできる。たとえば、要素は測定装置のチャネルへと突出ており、媒体は部分的に当該要素のまわりを流れる。一実施例においては、要素は、測定装置のチャネルに位置しつつチャネルの断面にわたって延在する格子の形状である。
【００２１】
温度センサは、好ましくは、この要素に熱的に接続され、要素の温度を検出する。結果として、媒体の平均温度は、媒体を集中させたり混合させたりする必要なしに単純な態様で決定することができる。加えて、温度センサは、もはや、測定装置のうち媒体が真直ぐに流れて通り過ぎる領域に配置される必要がなくなり、こうして、機械的損傷からより適切に保護される。
【００２２】
湿度センサまたは温度センサをシールドするための要素が、好ましくは測定装置に設けられる。これらの要素は、たとえば測定装置の入口開口部において、センサ要素の上方に配置されてもよい。
【００２３】
シールド要素は、媒体がセンサ要素に直接当たるのを防ぐ。これは、一方では、センサ要素を保護するのに用いられる。シールド要素はまた、媒体が集中させられるかまたは混合されてからセンサ要素に当たることを確実にし得る。これは、平均湿度または平均温度を決定する際に特に有利である。
【００２４】
好ましい一実施例においては、センサ要素は、センサ信号を他の電子信号、たとえば電流、電圧、周波数、またはデジタルプロトコル、に変換する電子回路に接続される。この目的のために、センサ要素は、たとえばプリント回路基板上に配置され、電子回路に接続される。
【００２５】
電子回路は、好ましくは、センサ要素を較正することができるような態様で設計されている。媒体が圧縮された状態で湿度センサに当たる場合、圧縮されていない媒体の平均湿度についての正確な値は、たとえば適切に較正を行なうことによって出力することができる。
【００２６】
好ましい一実施例においては、流れ媒体は、流動するガス、特に空気である。
規定された測定装置およびその有利な改善例を、添付の概略図を用いて以下に説明する。添付の概略図は縮尺通りではない。
【図面の簡単な説明】
【００２７】
【図１】湿度センサおよび温度センサが一体化されている測定装置の断面を示す図である。
【図２】湿度センサおよび別個の温度センサを備えた測定装置の断面を示す図である。
【図３】湿度センサおよび別個の温度センサを備え、熱伝導性材料からなる要素によって囲まれている測定装置の断面を示す図である。
【発明を実施するための形態】
【００２８】
図１は測定装置を示しており、そこを通って、流れ媒体Ｍが流れる。測定装置は担体３を備え、その長手方向軸３１が、流れ媒体Ｍの流れ方向（矢印）に対して垂直に配向されている。入口開口部７１および出口開口部７２を有するチャネル７は測定装置に位置している。温度センサ２が一体化されている湿度センサ１がチャネルに配置される。流れ媒体Ｍは、入口開口部７１を通って測定装置に流れ込み、センサ１および２を通り過ぎて、出口開口部７２を通って測定装置から出ていく。
【００２９】
媒体Ｍは、流れ誘導要素４によってセンサ１および２の方向に集中させられる。流れ誘導要素４は、担体３の長手方向軸３１に対して傾けられた偏向面の形状をなしており、これらは、センサ１および２が位置している首部７５において漏斗状をなしている。漏斗状の構成により、流入する媒体Ｍがセンサ１および２の方向に向けられる。漏斗がセンサ要素１、２の方に向かって先細になっているので、媒体Ｍの部分的な流れは漏斗首部７５の方向へと組合わされ、好ましくは混合される。こうして、チャネル７の狭窄領域７３に位置しているセンサ１および２は、媒体Ｍの平均湿度および媒体Ｍの平均温度を検出することができる。
【００３０】
センサ１および２を遮るシールド要素５は、チャネル７の入口開口部７１に配置される。シールド要素５は、流入する媒体Ｍがセンサ１および２へと直接流れ込むのを防ぐ。
【００３１】
測定装置は、コネクタ６によって電気的に接続可能である。コネクタ６は、たとえばプリント回路基板によって、センサ１、２と電気的に接触している。測定装置を電気的に接続する際に、得られた測定データがまた、好ましくは出力され、さらに処理される。
【００３２】
図２に示される測定装置においては、湿度センサ１および温度センサ２がチャネル７の別々の領域に配置されている。図１と同様に、チャネル７はこの場合には漏斗の形状をなしている。湿度センサ１は、ここでも漏斗首部７５に配置され、流れ媒体Ｍの平均湿度を決定するのに用いられる。湿度センサ１は、シールド要素５によって媒体Ｍの直接的な流れから保護される。温度センサ２は、シールド要素５のうち湿度センサ１とは反対側に位置しており、媒体Ｍは、温度センサに直接流れ込んでいる。温度センサ２は入口開口部７１の高さに配置される。媒体Ｍは、この非狭窄領域７４においては集中も混合もされない状態で存在している。こうして、流れ媒体Ｍの限定的な温度をこの箇所で決定することができる。すなわち、温度は、量に対して平均化されていない。
【００３３】
図３は、漏斗状のチャネル７を備えた測定装置を示しており、この装置においては、湿度センサ１が漏斗首部７５に配置されている。温度センサ２は、入口開口部７１の領域に位置しており、熱伝導性材料を含む格子８によって囲まれている。格子８は、チャネル７の入口開口部７１の断面にわたって延在しており、流れ媒体Ｍは格子を通って流れる。格子８は工程中に加熱される。格子８の熱伝導性が良好であるために、温度センサ２の領域において短期間のうちに平均温度が達成される。温度センサ２は、この温度を測定し、入口開口部７１の断面に対して平均化された流れ媒体Ｍの温度を決定するのに用いることができる。加えて、格子８は媒体Ｍを混合し、こうして、流れ誘導要素をも構成する。シールド要素５は、好ましくは格子８において一体化され、湿度センサ１および温度センサ２を遮る。
【００３４】
代替的な実施例においては、温度センサ２はチャネル７の外側に配置されてもよく、結果として、流れ媒体Ｍとは接触しなくなる。
【００３５】
具体的な実施例を用いて説明してきたが、この発明は上述の具体的な実施例には限定されず、如何なる新しい特徴および特徴の如何なる組合せをも含む。これは、特に、この特徴またはこの組合せ自体が添付の特許請求の範囲または具体的な実施例に明確に記載されていなくても、添付の特許請求の範囲における如何なる特徴の組合せをも含む。
【符号の説明】
【００３６】
１  湿度センサ、２  温度センサ、３  担体、３１  担体の長手方向軸、４  流れ誘導要素、５  シールド要素、６  コネクタ、７  チャネル、７１  入口開口部、７２  出口開口部、７３  狭窄領域、７４  非狭窄領域、７５  漏斗首部、８  熱伝導性材料からなる要素、Ｍ  流れ媒体。
【図１】
0005689408.tif 000002
【図２】
0005689408.tif 000003
【図３】
0005689408.tif 000004